(57)【要約】【課題】取手部の握り部と収納体の外表面との間に手の指を容易に挿入できるようにすること。【解決手段】キャビネット、コンテナ等の収納体40に取り付ける取手であり、取付本体部11と取手部20とからなる。取手部20は略輪状のもので、その回動部21にはコイルスプリングが巻回され、このスプリングの一方端は取付本体部側に、その他方端は回動部側に固定され、これにより取手部20の握り部23が収納体側に常に付勢され、常に倒れた状態を維持する。取手部20の延長部22の一方又は両方に対応する取付本体部側に突出部25を設け、この突出部25に延長部22が当接することにより、取手部20の握り部23が収納体40の外表面41に接触しない。コイルスプリングの一方端部を押し潰し且つ折曲して取付本体部11の上辺部15に設けられた切欠部16に係合させた。【選択図】図３
0003146627.tif 000002
【実用新案登録請求の範囲】
【請求項１】
トランク、キャビネット、コンテナ等の収納体に取り付ける取手であって、収納体に固定する取付本体部(11)と、この取付本体部(11)に回動自在に取り付けられる略輪状の取手部(20)とからなり、取手部(20)は、取付本体部(11)に回動自在に取り付けられる回動部(21)と回動部(21)の両端から延長する延長部(22, 22)とこれら両延長部(22, 22)を連結する握り部(23)とからなり、回動部(21)にはコイルスプリング(30)が巻回され、コイルスプリング(30)の一方端は取付本体部(11)側に固定され、その他方端は回動部(21)側に固定され、これにより取手部(20)の握り部(23)が取付本体部(11)側に常に付勢され、取付本体部(11)側に倒れた状態を維持するトランク取手において、
取手部(20)の延長部(22, 22))の一方又は両方に対応する取付本体部(11)側に突出部(25)を設け、この突出部(25)に延長部(22, 22)が当接することにより、取手部(20)の握り部(23)が取付本体部(11)及び収納体の外表面に接触しないようにしたことを特徴とするトランク取手。
【請求項２】
コイルスプリング(30)の一方端部(31)を押し潰し且つ折曲して、取付本体部(11)の上辺部(15)に設けられた切欠部(16)に係合させたことを特徴とする請求項１に記載のトランク取手。
【考案の詳細な説明】
【技術分野】
【０００１】
本考案は、トランク、キャビネット、コンテナ等の収納体、更には自動販売機等の引き出し部等に取り付け、取手或は引手として使用することができるコイルスプリング付きのトランク取手の改良に関するものである。
【背景技術】
【０００２】
従来から一般に使用されているバネ付きトランク取手の構成は、各種収納体等に螺子で固定される取付本体部と、この取付本体部に回動自在に取り付けられる略輪状の取手部から構成され、この取手部にコイルスプリングが介装されて常に取手部の握り部が取付本体部側に付勢されているものである。
【０００３】
より詳しくは、取手部が、取付本体部に回動自在に取り付けられる回動部と回動部の両端から延長する延長部とこれら両延長部を連結する握り部とからなり、回動部にはコイルスプリングが巻回され、コイルスプリングの一方端が取付本体部側に固定され、その他方端が回動部側に固定され、これにより取手部の握り部が取付本体部側に常に付勢され、取付本体部側に倒れた状態を維持するものである。
【０００４】
このような構成により、取手部は、スプリングの作用により常に取付本体部の側、換言すると収納体の側に倒れた状態を維持するため、取手部ががたつかず、それ故騒音も生じず、邪魔になることもないのである。
【考案の開示】
【考案が解決しようとする課題】
【０００５】
しかしながら、上記従来のバネ付きトランク取手においては、そのバネの作用により取手部の握り部が収納体の側に付勢され、倒れた状態を維持するために、この握り部が収納体の外表面に接触してしまう、或は極めて近接してしまうという問題があった。
即ち、このバネは結構強い反発力を有しているために、使用者がいざその握り部を握ろうとして、握り部と収納体との間に手の指先を挿入しようとすると、スムースにその指先が挿入できないという問題があった。
【０００６】
また、従来のバネ付きトランク取手においては、そのコイルスプリングの一方端は、取付本体部の上辺部にその先端を折曲して引っ掛けていただけの構成であったため、スプリングの端部切断面は鋭利な状態となっているために、使用者がその指先にケガをするということもあり、更には、取付部を勢いよく回動させたりすることにより、この折曲した端部が取付本体部の上辺部から外れてしまうという事故もあった。
【０００７】
そこで、本考案においては、バネ付きのトランク取手において、その取手部の握り部と収納体の外表面との間に手の指が容易に挿入できるようにすることをその第1の課題としている。
また、取付本体部の上辺部に引っ掛けるコイルスプリングの一方端側の構成を改良して、その端部が上辺部から外れないようにすること、またその端部によって指先が傷付けられないようにすることも本考案の課題である。
【課題を解決するための手段】
【０００８】
上記課題を解決するために、本考案の第１のものは、トランク、キャビネット、コンテナ等の収納体に取り付ける取手であって、収納体に固定する取付本体部と、この取付本体部に回動自在に取り付けられる略輪状の取手部とからなり、取手部は、取付本体部に回動自在に取り付けられる回動部と回動部の両端から延長する延長部とこれら両延長部を連結する握り部とからなり、回動部にはコイルスプリングが巻回され、コイルスプリングの一方端は取付本体部側に固定され、その他方端は回動部側に固定され、これにより取手部の握り部が取付本体部側に常に付勢され、取付本体部側に倒れた状態を維持するトランク取手において、取手部の延長部の一方又は両方に対応する取付本体部側に突出部を設け、この突出部に延長部が当接することにより、取手部の握り部が取付本体部及び収納体の外表面に接触しないようにしたことを特徴とするトランク取手である。
【０００９】
本考案の第２のものは、上記第１の考案において、コイルスプリングの一方端部を押し潰し且つ折曲して、取付本体部の上辺部に設けられた切欠部に係合させたことを特徴とするトランク取手である。
ここで、取付本体部の上辺部というのは、取手部の握り部と反対側に位置する取付本体部の側縁部を意味するものである。従って、取付部の握り部は、コイルスプリングの付勢力により常に取付本体部の下方側に倒れた状態を維持することとなる。
【考案の効果】
【００１０】
本考案の第１のものにおいては、取手部の両延長部の一方又は両方に対応する取付本体部側に突出部を形成しているために、延長部がこの突出部に当接することにより、取手部の握り部が取付本体部及び収納体の外表面と接触することがなく、即ち、取付部の握り部と収納体の外表面との間に隙間ができることとなるのである。
従って、使用者は、この隙間に手の指を容易に挿入させることができ、取手部の握り部を起こして容易に握ることができることとなるのである。
尚、この握り部と収納体の外表面との隙間は、必ずしも指が挿入できる大きさでなくともよく、その指先の一部が少し挿入でき、引っ掛かる程度で十分なものである。
【００１１】
本考案の第２のものにおいては、まず、スプリングの一方端を押し潰すことにより、その切断面の角部を鈍角とすることにより、指先のケガ防止となり、しかも、その端部を折曲して、取付本体部の上辺部に設けた切欠部と係合させることにより、取付部を多少乱暴に取り扱っても、その端部が取付本体部の上辺部から離脱することもなくなる。
【考案を実施するための最良の形態】
【００１２】
図１は本考案のトランク取手の実施形態に係る正面図である。
図２は本考案のトランク取手の実施形態に係る背面図である。
このトランク取手１０は、正面視略矩形形状の取付本体部１１と、この取付本体部１１に回動自在に取り付けられる取手部２０とからなる。
【００１３】
取手部２０は、この図から明らかなように、略台形形状の輪状のものからなり、取付本体部１１の下方に位置し、その両端に開口部１２、１２を有する突条部１３内に配置する回動部２１と、この回動部２１の両端から下方に延長する延長部２２、２２と、この延長部同士を連結する握り部２３とから構成されている。
【００１４】
上記回動部２１には、コイルスプリング３０が巻回されており、そのコイルスプリング３０の一方端部３１は、取付本体部１１の上辺部１５に固定され、その他方端部３２は取手部２０の回動部２１の側に固定されている。
このコイルスプリング３０の付勢力により、取手部２０の握り部２３が取付本体部１１の側に付勢され、取付本体部１１の側に倒れた状態を維持できる。
【００１５】
突条部１３の両端の開口部１２、１２のそれぞれの外側上方には、膨出部１７、１７が設けられている。これにより、この膨出部１７、１７の下端縁部１８、１８に取手部２０の延長部２２、２２を起立させると、この延長部２２、２２が前記下端縁部１８、１８に当接して、取手部２０が略直角に起立した状態で、それ以上上方には回動することができない。
即ち、取手部２０は、略水平の状態から略直角の状態までの略９０度の範囲内で回動することができる。
【００１６】
図中、１９が螺子挿通孔を示し、この螺子挿通孔１９を介して取付本体部１１を各種の収納体に螺着することができる。
図中、１４がコイルスプリング３０の一方端部の延長部３３を案内する突状部を示し、この突状部１４の背面の窪みを利用して、コイルスプリング３０の延長部３３を案内し、その窪みの内部に納めることができ、取付本体部１１を収納体に螺着する際に何ら問題を生じないように構成している。
【００１７】
コイルスプリング３０の一方端部３１は、図には明瞭に現れていないが、押し潰され、折曲されて、取付本体部１１の上辺部１５に設けられた切欠部１６に適合させ、係合されている。
そして、本考案の特徴部分である突出部２５が、取手部２０のそれぞれの延長部２２に対応する取付本体部１１の側に形成されている。
後の図３において説明するが、これらの突出部２５、２５によって、取手部２０の握り部２３は、取付本体部１１が取付られる収納体の外表面と接触することがなく、所定の間隔を維持した状態に置かれるのである。
【００１８】
図３は、その（Ａ）が上記実施形態に係るトランク取手を少し上方に起立させた状態の斜視図であり、その（Ｂ）が取手部が倒れた状態の側面図である。
図３（Ｂ）から解る通り、取手部２０は、コイルスプリングの付勢力により、その取手部２０に何ら力を加えない状態で、この図の状態となる。
即ち、本考案に係るトランク取手１０の場合には、突出部２５が取付本体部１１に形成されている関係上、取手部２０の延長部２２にこの突出部２５が当接することによって、取手部２０の握り部２３が収納部４０の外表面４１と所定の間隔Ｃを保つのである。
【００１９】
従って、使用者は、このトランク取手１０の握り部２３を握ろうと、手の指先をこの間隔Ｃに少し入れることができ、これにより容易に握り部２３を上方に起こして、容易に握ることができるものとなるのである。
従来においては、例えば自動販売機等の収納部を引き出そうとする際に、この間隔
Ｃが極めて小さかったために、指先が入らず、販売機に飲料等を補充する操作者は、例えば紐等をこの握り部に挿通させて、この握り部を起立させていたという現実があった。取り分けこのような操作者は、通常は軍手を嵌めている関係上、指先は太くなり、上記間隔に指を入れることが極めて困難なものであった。
本考案は、このような問題を解決することができたものである。
【００２０】
以上、本考案の実施形態について説明したが、本考案においては以下の通り設計変更可能である。
取付本体部及び取手部の形状や大きさ等は自由に設計することができる。
取手部の回動部に巻装されたコイルスプリングの位置も自由であり、従って、スプリングの延長部の位置も、上記実施形態では、取付本体部の略中央部に設けられていたが、これを右又は左の一方の側に寄った位置に設けることも自由である。
【００２１】
膨出部１７の形状も、取手部の回動部又は延長部が起立した際に適切に当接する部分が設けられていればよく、その形状は自由に設計することができる。
取付本体部及び取手部は、いずれも金属製であり、スチール又はステンレススチールを用いることもできる。
尚、上記実施形態では、取手部は、完全な輪状のものでなく、その回動部は連続しておらず、コイルスプリングの部分で分離したものを使用している。
【００２２】
以上、本考案は、その特徴的構成により、取手部の握り部を収納体の外表面に接触させず、所定の間隔を維持できるために、使用者が手の指先を容易に挿入することができ、また、取手部を起立する際にも、指先を傷付けず、スプリングの一端が取付本体部から外れてしまうこともない極めて大きな効果を発揮するトランク取手を提供することができた。
【図面の簡単な説明】
【００２３】
【図１】本考案のトランク取手の実施形態に係る正面図である。
【図２】本考案のトランク取手の実施形態に係る背面図である。
【図３】本考案のトランク取手の上記実施形態を示し、その（Ａ）がトランク取手を少し上方に起立させた状態の斜視図、その（Ｂ）が取手部が倒れた状態の側面図である。
【符号の説明】
【００２４】
１０  トランク取手
１１  取付本体部
１２  開口部
１３  突条部
１４  突状部
１５  上辺部
１６  切欠部
１７  膨出部
１８  下端縁部
２０  取手部
２１  回動部
２２  延長部
２３  握り部
２５  突出部
３０  コイルスプリング
３１  一方端部（コイルスプリングの）
【図１】
0003146627.tif 000003
【図２】
0003146627.tif 000004
【図３】
0003146627.tif 000005